(57)【要約】【課題】  アドレス放電で発生する放電電流を分散して，電圧降下を防止することが可能なプラズマディスプレイ及びその駆動方法を提供すること。【解決手段】  各々複数のアドレス電極を複数のグループに区分し，複数のグループのうちの一つである第１アドレス電極グループに属するアドレス電極にアドレスデータを印加する第１アドレス電極駆動部２１０と；複数のグループのうちの一つである第２アドレス電極グループに属するアドレス電極にアドレスデータを印加する第２アドレス電極駆動部２２０を備え，第１アドレス電極駆動部及び第２アドレス電極駆動部から各々異なるタイミングでアドレスデータが出力されるように制御する信号を出力することを特徴とする，プラズマディスプレイパネルを提供する。これにより，アドレス放電で発生する放電電流を時間的に分散でき，アドレス期間での電圧低下を防止できる。【選択図】    図５
2005215692.tif 000002
【特許請求の範囲】
【請求項１】
各々複数のアドレス電極を含む複数のグループに区分される複数のアドレス電極と，一対になって配列される複数の走査電極及び複数の維持電極と，を含むパネル部と；
外部から入力される映像信号を補正して出力する制御部と；
前記制御部から出力されるデータに対応する第１アドレスデータを生成し，前記複数のグループのうちの一つである第１アドレス電極グループに属するアドレス電極に印加する第１アドレス電極駆動部と；
前記制御部から出力されるデータに対応する第２アドレスデータを生成し，前記複数のグループのうちの一つである第２アドレス電極グループに属するアドレス電極に印加する第２アドレス電極駆動部と；
前記制御部から出力されるデータに対応する走査パルスデータを生成し，前記複数の走査電極に印加する走査電極駆動部と；
を含み，
前記制御部は，前記第１アドレス電極駆動部及び前記第２アドレス電極駆動部から各々異なるタイミングで，前記第１，第２アドレスデータが前記各グループのアドレス電極に出力されるように，前記第１アドレス電極駆動部及び前記第２アドレス電極駆動部を制御することを特徴とする，プラズマディスプレイパネル。
【請求項２】
前記制御部は，
前記走査電極駆動部から前記走査パルスデータが出力されると同時に前記第１アドレス電極駆動部から前記第１アドレスデータが出力され，所定の時間が経過した後に前記第２アドレス電極駆動部から前記第２アドレスデータが出力されるように制御することを特徴とする，請求項１に記載のプラズマディスプレイパネル。
【請求項３】
前記制御部は，
前記走査電極駆動部で前記走査パルスデータの出力を終了させると同時に，前記第１アドレスデータ及び前記第２アドレスデータの出力をともに終了させるように制御することを特徴とする，請求項１または２のいずれかに記載のプラズマディスプレイパネル。
【請求項４】
前記制御部は，
所定番目のサブフィールド以降に，前記走査電極駆動部から前記走査パルスデータが出力されると同時に前記第２アドレス電極駆動部から前記第２アドレスデータが出力され，所定の時間の経過後に前記第１アドレス電極駆動部から前記第１アドレスデータが出力されるように制御することを特徴とする，請求項１，２または３のいずれかに記載のプラズマディスプレイパネル。
【請求項５】
複数の走査電極及び複数の維持電極と，複数のアドレス電極からなる第１アドレス電極グループ及び複数のアドレス電極からなる第２アドレス電極グループと，を含むプラズマディスプレイパネルの駆動方法において：
アドレス期間に，
ａ）前記第１アドレス電極グループに属するアドレス電極に第１アドレスデータを印加する段階と；
ｂ）所定の時間が経過した後に前記第２アドレス電極グループに属するアドレス電極に第２アドレスデータを印加する段階と；
を含むことを特徴とする，プラズマディスプレイパネルの駆動方法。
【請求項６】
ｃ）前記第１及び前記第２アドレス電極グループに印加される前記第１アドレスデータ及び前記第２アドレスデータの出力を同時に終了させる段階と；
をさらに含むことを特徴とする，請求項５に記載のプラズマディスプレイパネルの駆動方法。
【発明の詳細な説明】
【技術分野】
【０００１】
本発明は，プラズマディスプレイパネル（ＰＤＰ，Ｐｌａｓｍａ  Ｄｉｓｐｌａｙ  Ｐａｎｅｌ）及びその駆動方法に関する。
【背景技術】
【０００２】
近年では，液晶表示装置（ＬＣＤ，Ｌｉｑｕｉｄ  Ｃｒｙｓｔａｌ  Ｄｉｓｐｌａｙ），電界放出表示装置（ＦＥＤ，Ｆｉｅｌｄ  Ｅｍｍｉｓｉｏｎ  Ｄｉｓｐｌａｙ），ＰＤＰなどの平面表示装置が活発に開発されている。これらの平面表示装置の中でも，ＰＤＰは，他の平面表示装置に比べて輝度及び発光効率が高くて視野角が広いという長所がある。従ってＰＤＰは，４０インチ以上の大型表示装置において，従来の陰極線管（ＣＲＴ，Ｃａｔｈｏｄｅ−ｒａｙ  ｔｕｂｅ）に代替される表示装置として脚光を浴びている。
【０００３】
ＰＤＰは，気体放電によって生成されたプラズマを利用して文字または映像を表示する平面表示装置である。装置の大きさによって数十から数百万個以上の画素がマトリックス形態に配列されている。このようなＰＤＰは，印加される駆動電圧波形の形態及び放電セルの構造によって，直流型と交流型とに区分される。
【０００４】
直流型ＰＤＰは，電極が放電空間に絶縁されずに露出されていて，電圧が印加される間に電流が放電空間にそのまま流れる。よって電流制限のための抵抗を形成しなければならない短所がある。反面，交流型ＰＤＰは，電極を誘電体層が覆っており，自然なキャパシタンス成分の形成で電流が制限されて，放電時にイオンの衝撃から電極が保護される。よって直流型に比べて寿命が長いという長所がある。
【０００５】
このような交流型ＰＤＰは，その一側面に互いに平行となるように走査電極及び維持電極が形成され，他側面に上記電極と直交する方向にアドレス電極が形成される。そして，維持電極は，各走査電極に対応して形成され，その一端が互いに共通に連結されている。
【０００６】
図１は，一般的な交流型プラズマディスプレイパネルの一部斜視図である。
【０００７】
図１に示したように，第１ガラス基板１上には，誘電体層２及び保護膜３で覆われた走査電極４及び維持電極５が対になって平行に形成される。第２ガラス基板６上には，絶縁体層７で覆われた複数のアドレス電極８が形成される。アドレス電極８の間にある絶縁体層７上には，アドレス電極８と平行に隔壁９が形成されている。また，絶縁体層７の表面及び隔壁９の両側面に蛍光体１０が形成されている。第１ガラス基板１及び第２ガラス基板６は，走査電極４とアドレス電極８及び維持電極５とアドレス電極８が直交するように放電空間１１を隔てて対向して配置されている。アドレス電極８と対になる走査電極４及び維持電極５との交差部にある放電空間が放電セル１２を形成する。
【０００８】
図２は，一般的なプラズマディスプレイパネルの電極配列図である。
【０００９】
図２に示したように，ＰＤＰの電極はｍ×ｎ（ｍ，ｎは自然数）のマトリックス形態に配列されており，具体的に，列方向にはアドレス電極Ａ１〜Ａｍが配列されており，行方向にはｎ行の走査電極Ｙ１〜Ｙｎ及び維持電極Ｘ１〜Ｘｎが互い違いに配列されている。以下，走査電極を“Ｙ電極”，維持電極を“Ｘ電極”と称する。図２に示された放電セル１２は，図１に示された放電セル１２に対応する。
【００１０】
一方，ＰＤＰの各セルを放電させて画面を表示する方法は色々あるが，一般に広く用いられる方式は，サブフィールド（ｓｕｂ  ｆｉｅｌｄ）方式やラインスキャニング（ｌｉｎｅ  ｅｒａｓｅ  ｓｃａｎｎｉｎｇ）方式などがある。
【００１１】
また，サブフィールド方式は，セルの放電によって表示される画面を一つの副画面として設定し，維持電極駆動部及びアドレス電極駆動部を制御して複数枚の副画面を重ねることによって，一つの画面を表示する方式である。
【００１２】
図３は，従来の技術によるサブフィールド方式の一実施形態による駆動波形図である。
【００１３】
図３に示されているように，従来のサブフィールド方式は，Ｙ電極を複数個のグループ（図３ではＹ１〜ＹｎのＹ電極をＹ１１〜Ｙ１ＮとＹ２１〜Ｙ２Ｎの二つのグループに分ける)に分けて、Ｙ電極のグループに対応するように一つのサブフィールド（ｋ番目のサブフィールド）内で複数個のグループでアドレス動作（記入動作）が行われるようにする（図３ではアドレス動作が２回行われる）。この時，アドレス電極駆動部で全てのアドレス電極にアドレスデータ（Ａ）が出力されるタイミングは同一である。
【発明の開示】
【発明が解決しようとする課題】
【００１４】
しかし，従来のプラズマディスプレイ及びその駆動方法によれば，プラズマディスプレイを駆動する時，フルホワイト画面を表示する場合など一つのスキャンラインに放電が起こるセルが多いと，放電電流が増加し，これによって電圧降下が発生するという問題がある。また，電圧降下量が大きい場合には，駆動電圧のマージンが減少し，低放電の原因になるという問題がある。
【００１５】
そこで，本発明は，このような問題に鑑みてなされたもので，その目的は，アドレス放電で発生する放電電流を分散して，電圧降下を防止することが可能な，新規かつ改良されたプラズマディスプレイパネル及びその駆動方法を提供することにある。
【課題を解決するための手段】
【００１６】
上記課題を解決するために，本発明のある観点によれば，各々複数のアドレス電極を含む複数のグループに区分される複数のアドレス電極と，一対になって配列される複数の走査電極及び複数の維持電極と，を含むパネル部と；外部から入力される映像信号を補正して出力する制御部と；上記制御部から出力されるデータに対応する第１アドレスデータを生成し，上記複数のグループのうちの一つである第１アドレス電極グループに属するアドレス電極に印加する第１アドレス電極駆動部と；上記制御部から出力されるデータに対応する第２アドレスデータを生成し，上記複数のグループのうちの一つである第２アドレス電極グループに属するアドレス電極に印加する第２アドレス電極駆動部と；上記制御部から出力されるデータに対応する走査パルスデータを生成し，上記複数の走査電極に印加する走査電極駆動部と；を含み，上記制御部は，上記第１アドレス電極駆動部及び上記第２アドレス電極駆動部から各々異なるタイミングで，上記第１，第２アドレスデータが上記各グループのアドレス電極に出力されるように，上記第１アドレス電極駆動部及び上記第２アドレス電極駆動部を制御することを特徴とする，プラズマディスプレイパネルが提供される。
【００１７】
また，上記制御部は，上記走査電極駆動部から上記走査パルスデータが出力されると同時に上記第１アドレス電極駆動部から第１アドレスデータが出力され，所定の時間が経過した後に上記第２アドレス電極駆動部から第２アドレスデータが出力されるように制御してもよい。
【００１８】
また，上記制御部は，上記走査電極駆動部で上記走査パルスデータの出力を終了させると同時に，上記第１アドレスデータ及び上記第２アドレスデータの出力をともに終了させるように制御してもよい。
【００１９】
また，上記制御部は，所定番目のサブフィールド以降に，上記走査電極駆動部から上記走査パルスデータが出力されると同時に上記第２アドレス電極駆動部から第２アドレスデータが出力され，所定の時間の経過後に上記第１アドレス電極駆動部から第１アドレスデータが出力されるように制御してもよい。
【００２０】
上記課題を解決するために，本発明の別の観点によれば，複数の走査電極及び複数の維持電極と，複数のアドレス電極からなる第１アドレス電極グループ及び複数のアドレス電極からなる第２アドレス電極グループと，を含むプラズマディスプレイパネルの駆動方法において：アドレス期間に，ａ）上記第１アドレス電極グループに属するアドレス電極に第１アドレスデータを印加する段階と；ｂ）所定の時間が経過した後に上記第２アドレス電極グループに属するアドレス電極に第２アドレスデータを印加する段階と；を含むことを特徴とする，プラズマディスプレイパネルの駆動方法が提供される。
【００２１】
また，ｃ）上記第１及び上記第２アドレス電極グループに印加される上記第１アドレスデータ及び上記第２アドレスデータの出力を同時に終了させる段階と；をさらに含んでもよい。
【発明の効果】
【００２２】
以上説明したように，本発明によれば，アドレス期間にアドレスデータを分散して出力することにより，アドレスデータが出力される瞬間に放電電流が集中するのを防止することができるため，電圧降下を低減して駆動電圧のマージンを拡大し，低放電を防止することができる。
【発明を実施するための最良の形態】
【００２３】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００２４】
まず，本発明の一第１の施形態にかかるＰＤＰ駆動装置について，図４及び図５を参考にして詳細に説明する。
【００２５】
図４は，本発明の第１の形態にかかるプラズマディスプレイパネル装置を示す図である。
【００２６】
図４に示したように，本本実施形態にかかるプラズマディスプレイパネル装置は，プラズマパネル１００，第１アドレス電極駆動部２１０，第２アドレス電極駆動部２２０，Ｙ電極駆動部３２０，Ｘ電極駆動部３４０，及び制御部４００を含む。
【００２７】
プラズマパネル１００は，列方向に配列されている複数のアドレス電極Ａ１〜Ａ２ｍ，行方向に配列されている走査電極Ｙ１〜Ｙｎ（以下，Ｙ電極という。）及び維持電極Ｘ１〜Ｘｎ（以下，Ｘ電極という。）を含む。
【００２８】
第１アドレス電極駆動部２１０，第２アドレス電極駆動部２２０は，制御部２００から第１アドレス駆動制御信号ＳＡ１，第２アドレス駆動制御信号ＳＡ２を受信して，表示しようとする放電セルを選択するための表示データ信号を各アドレス電極に印加する。第１アドレス電極駆動部２１０は，第１アドレス駆動制御信号ＳＡ１を受信し，第２アドレス電極駆動部２２０は，第２アドレス駆動制御信号ＳＡ２を受信する。
【００２９】
Ｙ電極駆動部３２０及びＸ電極駆動部３４０は，制御部２００から各々Ｙ電極駆動信号ＳＹ及びＸ電極駆動信号ＳＸを受信して，Ｙ電極及びＸ電極に印加する。
【００３０】
制御部４００は，外部から映像信号を受信して，第１アドレス駆動制御信号ＳＡ１，第２アドレス駆動制御信号ＳＡ２，Ｙ電極駆動信号ＳＹ，及びＸ電極駆動信号ＳＸを生成し，各々第１アドレス電極駆動部２１０，第２アドレス電極駆動部２２０，Ｙ電極駆動部３２０，及びＸ電極駆動部３４０に伝達する。
【００３１】
また，制御部４００は，第１アドレス駆動制御信号ＳＡ１，第２アドレス駆動制御信号ＳＡ２と共に第１アドレス電極駆動部２１０，第２アドレス電極駆動部２２０を各々駆動するためのタイミング信号を出力し，上記タイミング信号によって第１アドレス電極駆動部２１０，第２アドレス電極駆動部２２０がアドレスデータ信号（第１アドレスデータ，第２アドレスデータ）を出力する。
【００３２】
図５は本発明の第１の実施形態によるプラズマディスプレイパネルの駆動波形図である。
【００３３】
図５に示したように，本発明の本実施形態によるプラズマディスプレイパネルの第１アドレス電極駆動部２１０，第２アドレス電極駆動部２２０は，各々異なるタイミング信号によってデータを出力する。例えば，Ｙ電極にスキャン信号が印加される（ＶｓｃｈからＶｓｃｌに電圧が変化する。）時点であるｔ１に第１アドレス電極駆動部２１０がまず第１アドレスデータＡＡを出力し，所定の時間が経過した後であるｔ３に第２アドレス電極駆動部２２０が第２アドレスデータＡＢを出力する。このアドレスデータＡＡ，ＡＢとは任意の二つのアドレス電極に入力されるデータのことであり，ＡＡとＡＢはそれぞれ異なるアドレス駆動部に連結されたアドレス電極のことである。ここで本実施形態にかかるスキャン信号とは走査パルスデータに相当する。ここでＹは制御部２００からのＳＹを受信してＹ電極駆動部３２０から出力され，Ｘは制御部２００からのＳＸを受信してＸ電極駆動部３４０から出力される。
【００３４】
この時，ＡＡ及びＡＢの電圧の大きさは，ともにＶａであり，印加される時点は各々異なるが，Ｙ電極に印加されるスキャン信号が立ち上がる（ｒｉｓｉｎｇ）時点ｔ４にＡＡ及びＡＢがともに立ち下がる（ｆａｌｌｉｎｇ）。つまりＹ電極駆動部３２０で走査パルスデータであるスキャン信号の出力を終了させると同時に，第１アドレス電極駆動部２１０，第２アドレス電極駆動部２２０が，上記第１アドレスデータ及び上記第２アドレスデータの出力をともに終了させるように制御する。
【００３５】
このように，アドレスデータが印加されるタイミングを異なるようにすれば，アドレス放電によって発生する放電電流が時間的に分散されるという効果があり，これにより，アドレス期間での電圧降下を低減することができる。
【００３６】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【００３７】
例えば，上記実施形態では，第１アドレス電極駆動部２１０をまず駆動した後に，第２アドレス電極駆動部２２０を駆動する場合について説明したが，フレーム別にアドレス電極駆動部を駆動する順序を変更してもよい。つまり，最初第１アドレス電極駆動部２１０をまず駆動した後に，第２アドレス電極駆動部２２０を駆動し，所定番目のサブフィールド以降に第２アドレス電極駆動部２２０をまず駆動した後に，第１アドレス電極駆動部２１０を駆動してもよい。
【００３８】
また，上記実施形態では，アドレス電極駆動部が二つである場合について説明したが，アドレス電極を二つ以上のアドレス電極駆動部で駆動することもできる。
【００３９】
また，上記実施形態では，アドレス電極駆動部別にアドレスデータを分散して出力したが，アドレス電極駆動部内に含まれて各々複数のアドレス選択回路を含むアドレスＩＣ別にアドレスデータを分散して出力することもできる。
【００４０】
また，上記実施形態では，第１アドレス電極グループをアドレスの下位，第２アドレス電極グループをアドレスの上位としたが，例えば奇数番号のアドレスを第１アドレス電極グループ，偶数番号のアドレスを第２アドレス電極グループにするなど，多様な分類が可能である。
【産業上の利用可能性】
【００４１】
本発明は，プラズマディスプレイパネル及びその駆動方法に適用可能であり，特に交流型のプラズマディスプレイパネル及びその駆動方法に適用可能である。
【図面の簡単な説明】
【００４２】
【図１】一般的な交流型プラズマディスプレイパネルの一部斜視図である。
【図２】一般的なプラズマディスプレイパネルの電極配列図である。
【図３】従来技術によるサブフィールド方式の一実施形態による駆動波形図である。
【図４】本発明の第１の実施形態にかかるプラズマディスプレイパネル装置を示す図である。
【図５】本発明の第１の実施形態にかかるプラズマディスプレイパネルの駆動波形図である。
【符号の説明】
【００４３】
１００    プラズマパネル
２１０    第１アドレス電極駆動部
２２０    第２アドレス電極駆動部
３２０    Ｙ電極駆動部（走査電極駆動部）
３４０    Ｘ電極駆動部（維持電極駆動部）
４００    制御部
【図１】
2005215692.tif 000003
【図２】
2005215692.tif 000004
【図３】
2005215692.tif 000005
【図４】
2005215692.tif 000006
【図５】
2005215692.tif 000007